(57)【特許請求の範囲】
【請求項１】
台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、
摺動方向と略平行な摺動部品の側面壁に設けられ、摺動部品に連結する逆三角形の突出部をネジで当接して固定部品のアリに接触させ、ネジを締め込むことで摺動部品の摺動を固定する摺動固定ネジを備え、
前記摺動固定ネジは、前記逆三角形の突出部に当接して固定部品のアリに接触させるネジの回転量を調節することで固定部品に対する摺動部品の摺動の程度を微調整する摺動調節ネジ、及び、操作者が摺動部品を所望の位置にスライド操作するために把持する加力棒、として兼用され、
更に、固定部品に着脱可能に取り付けられ、操作者が加力棒により摺動部品を所望の位置にスライド操作する際に他の指により反力を取る反力棒を備えることを特徴とするスライド操作式アリ溝摺動ステージ。
【請求項２】
台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、
摺動方向と略平行な固定部品の側面壁に設けられ、固定部品に連結する逆三角形の突出部をネジで当接して摺動部品のアリに接触させ、レバーにより締め込むことで摺動部品の摺動を固定する摺動固定ネジと、
摺動方向と略平行な摺動部品の側面壁に設けられ、操作者が摺動部品を所望の位置にスライド操作するために把持する駆動手段と、を備え、
前記駆動手段は、摺動部品に着脱可能に取り付けられ、操作者が把持することで摺動部品を所望の位置にスライド操作する加力棒であり、固定部品に着脱可能に取り付けられ、操作者が加力棒により摺動部品を所望の位置にスライド操作する際に他の指により反力を取る反力棒を更に備えることを特徴とするスライド操作式アリ溝摺動ステージ。
【請求項３】
台形状に窪んだアリ溝と、台形状に突出したアリとを嵌合させ、摺動部品に固定されたラックと固定部品により支持されたピニオンギアとを係合して駆動させ、固定部品に対して摺動部品を摺動させて精密機器の位置調整を行うアリ溝摺動ステージにおいて、
ピニオンギアを押さえつけてラック及びピニオンギアの与圧の程度を接触摩擦により調整する与圧調整ネジと、
摺動方向と略平行な摺動部品の側面壁に設けられ、操作者が摺動部品を所望の位置にスライド操作する際に把持する駆動手段と、を備え、
前記駆動手段は、摺動部品に着脱可能に取り付けられ、操作者が把持することで摺動部品を所望の位置にスライド操作する加力棒であり、固定部品に着脱可能に取り付けられ、操作者が加力棒により摺動部品を所望の位置にスライド操作する際に他の指により反力を取る反力棒を更に備えることを特徴とするスライド操作式アリ溝摺動ステージ。
【請求項４】
請求項２又は３に記載のスライド操作式アリ溝摺動ステージであって、摺動方向に略平行な側面側の固定部品又は摺動部品には、加力棒又は反力棒が着脱可能なタップ孔が複数箇所に設けられることを特徴とするスライド操作式アリ溝摺動ステージ。
【請求項５】
請求項２又は３に記載のスライド操作式アリ溝摺動ステージであって、摺動方向に略直交する側面壁の固定部品又は摺動部品には、加力棒又は反力棒が着脱可能なタップ孔が複数箇所に設けられることを特徴とするスライド操作式アリ溝摺動ステージ。
【請求項６】
台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、
摺動方向と略平行な固定部品の側面壁に設けられ、固定部品に連結する逆三角形の突出部をネジで当接して摺動部品のアリに接触させ、レバーにより締め込むことで摺動部品の摺動を固定する摺動固定ネジと、
摺動方向と略平行な摺動部品の側面壁に設けられ、操作者が摺動部品を所望の位置にスライド操作するために把持する駆動手段と、を備え、
前記駆動手段は、摺動部品に着脱可能に設けられ、操作者が把持することで摺動部品を所望の位置にスライド操作する滑り止めラバーであり、固定部品に着脱可能に取り付けられ、操作者が加力棒により摺動部品を所望の位置にスライド操作する際に他の指により反力を取る反力棒を更に備えることを特徴とするスライド操作式アリ溝摺動ステージ。
【請求項７】
請求項６に記載のスライド操作式アリ溝摺動ステージであって、前記滑り止めラバーは、摺動部品の左右の側面壁に一対となるように貼り付けられることを特徴とするスライド操作式アリ溝摺動ステージ。
【請求項８】
請求項１乃至７のいずれか１項に記載のスライド操作式アリ溝摺動ステージであって、摺動方向と略平行な固定部品及び摺動部品の相互に隣接する側面壁には、一対の目盛シールが貼り付けられることを特徴とするスライド操作式アリ溝摺動ステージ。
【発明の詳細な説明】
【技術分野】
【０００１】
本発明は、スライド操作式アリ溝摺動ステージに係り、特に、台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージに関する。
【背景技術】
【０００２】
精密機器の位置調整を行うアリ溝摺動ステージは、駆動手段により、ラックアンドピニオン式のアリ溝摺動ステージ、又は送りネジ式のアリ溝摺動ステージが一般的に採用される。ラックアンドピニオン式アリ溝摺動ステージは、係合された一対の駆動手段であるラックとピニオンギアのうちの一方であるピニオンギアをハンドルにより回転させることで他方であるラックを直進させて摺動部品をスライドさせ、精密機器の位置調整を行う機構を有する。また、送りネジ式アリ溝摺動ステージは、係合された一対の駆動手段である雄ネジ棒及び雌ネジ筒のうちの一方である雄ネジ棒をハンドルにより回転させることで他方である雄ネジ棒を直進させて摺動部品をスライドさせ、精密機器の位置調整を行う機構を有する。
【０００３】
特許文献１の図２を参照してラックアンドピニオン式のアリ溝摺動ステージの駆動手段を説明する。ラック及びピニオンギアによる駆動手段は、摺動部品に固定されたラック（特許文献１図２符号１３）と、ハンドルと回転軸が共通するように接続されて固定部品により支持されたピニオンギア（同符号１４）とが係合され、ハンドル（同符号９）を回転するとピニオンギアが連動して回転してラック上をスライドし、摺動部品が固定部品に対して摺動する駆動手段である。すなわち、ハンドルは、摺動部品の摺動方向に対して交差する方向に取り付けられる。このラックアンドピニオン式による手動ステージは、後述するアリ溝式ステージという摺動機構と組み合わされ、ハンドル１回転により約１８ｍｍスライドし、素早く大きい動きが必要な場合に適した駆動手段である。
【０００４】
特許文献１の図２２を参照して送りネジ式アリ溝摺動ステージの駆動手段を説明する。送りネジ式による駆動手段は、精密機器が取付けられる摺動部品の裏面に接続される雌ネジ筒（特許文献１図２２符号３０６）と、土台に接続される固定部品に固定されたブロックを貫通する雄ネジ棒（同符号３０７）とが係合され、ハンドル（同符号３０９）の操作により雄ネジ棒を回転させて固定部品に対して摺動部品を摺動させる摺動手段である。すなわち、ハンドルは、摺動部品の摺動方向と同じ方向に取り付けられる。この送りネジ式による手動ステージは、後述するアリ溝式ステージという摺動機構と組み合わされ、ハンドル１回転により約４、２ｍｍスライドし、耐荷重性が要求され微細な調整が必要な場合に適した駆動手段である。
【０００５】
特許文献２の図１を参照してアリ溝による摺動機構を説明する。ラックアンドピニオン式アリ溝摺動ステージ、及び送りネジ式アリ溝摺動ステージでは、固定部品に対して摺動部品を滑らかに摺動させる摺動機構としてアリ溝式摺動ステージを用いられるのが一般的である。アリ溝式摺動ステージとは、台形状に窪んだアリ溝（特許文献１図１符号３）を有する固定部品と、台形状に突出したアリ（同符号２）を有する摺動部品が嵌合され、摺動部品が固定部品に対して滑らかに摺動するステージをいう。
【０００６】
特許文献２の図３を参照してアリ溝手動ステージにおいて所望の位置で摺動部品の摺動を固定させ、取り付けられた精密機器の位置設定を行うストッパ機構を説明する。固定部品の側面には摺動固定ネジ（特許文献２図３符号１０）が取付けられ、固定部品のアリ溝の側部に逆三角形の突出部（同符号３１）が形成されるように溝部（同符号３２）が設けられる。そして、摺動固定ネジの先端部である摺動固定ネジ先端部を溝部から突出部に突き当てて突出部を内側に傾斜させて固定部品のアリ溝と嵌合する摺動部品のアリを押さえ込ませ、固定部品に対する摺動部品の位置を固定する。
【先行技術文献】
【特許文献】
【０００７】
【特許文献１】特許第４６０６５０１号
【特許文献２】特許第４５０５５３５号
【発明の概要】
【発明が解決しようとする課題】
【０００８】
従来のアリ溝摺動ステージは、駆動手段としてハンドルを使用している。すなわち、ラックアンドピニオン式アリ溝摺動ステージは、ハンドルを回転するとピニオンギアが連動して回転してラック上をスライドし、摺動部品が固定部品に対して摺動する機構である。また、送りネジ式アリ溝摺動ステージは、ハンドルの操作により雄ネジ棒を回転させて雌ネジ筒内でスライドさせ、摺動部品が固定部品に対して摺動する機構である。このように、従来のアリ溝摺動ステージではハンドルは必須の構成要素であり、さらにラック及びピニオンギアによる駆動手段、或いは雄ネジ棒及び雌ネジ筒による駆動手段が組み合わされて複雑な機構となり、操作性や耐久性の上で問題があった。
【０００９】
また、このハンドルは、回転操作を容易にするために他の部品に比べるとより大きな部品である。従って、アリ溝摺動ステージの高さはこのハンドルの高さによって決まり、アリ溝摺動ステージ全体が嵩張ったステージになるという問題があった。
【００１０】
また、従来のアリ溝摺動ステージは、ハンドルの回転により摺動部品をスライドさせるため、摺動部品を大きく移動させる場合に時間がかかり素早くスライド操作をするのは難しいという問題がある。
【００１１】
本願の目的は、かかる課題を解決し、簡易な駆動手段にすることで操作性が良くコンパクトな構造が可能となるスライド操作式アリ溝摺動ステージを提供することである。
【課題を解決するための手段】
【００１２】
上記目的を達成するため、本発明に係るスライド操作式アリ溝摺動ステージは、形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、摺動方向と略平行な摺動部品の側面壁に設けられ、摺動部品に連結する逆三角形の突出部をネジで当接して固定部品のアリに接触させ、ネジを締め込むことで摺動部品の摺動を固定する摺動固定ネジを備え、前記摺動固定ネジは、前記逆三角形の突出部に当接して固定部品のアリに接触させるネジの回転量を調節することで固定部品に対する摺動部品の摺動の程度を微調整する摺動調節ネジ、及び、操作者が摺動部品を所望の位置にスライド操作するために把持する加力棒、として兼用され、更に、固定部品に着脱可能に取り付けられ、操作者が加力棒により摺動部品を所望の位置にスライド操作する際に他の指により反力を取る反力棒を備えることを特徴とする。これにより、操作者は、摺動部品の摺動を固定する機能と摺動部品の摺動の程度を調整する機能と、摺動部品をスライド操作する機能とを全て摺動固定ネジに集約することができる。例えば、摺動部品の固定を解除し、摺動部品の摺動の程度を微調整した後、同じ摺動固定ネジで引き続き摺動部品を素早く移動させる、或いは、摺動部品を細かく移動させるといったように操作性を向上できる。
【００１３】
上記目的を達成するため、本発明に係るスライド操作式アリ溝摺動ステージは、台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、摺動方向と略平行な固定部品の側面壁に設けられ、固定部品に連結する逆三角形の突出部をネジで当接して摺動部品のアリに接触させ、レバーにより締め込むことで摺動部品の摺動を固定する摺動固定ネジと、摺動方向と略平行な摺動部品の側面壁に設けられ、操作者が摺動部品を所望の位置にスライド操作するために把持する駆動手段と、を備え、前記駆動手段は、摺動部品に着脱可能に取り付けられ、操作者が把持することで摺動部品を所望の位置にスライド操作する加力棒であり、固定部品に着脱可能に取り付けられ、操作者が加力棒により摺動部品を所望の位置にスライド操作する際に他の指により反力を取る反力棒を更に備えることを特徴とする。これにより、レバー式の摺動固定ネジを用いる場合であっても、アリ溝摺動ステージを、ハンドルを省略した簡易な駆動手段により駆動させることができる。
【００１４】
上記目的を達成するため、本発明に係るスライド操作式アリ溝摺動ステージは、台形状に窪んだアリ溝と、台形状に突出したアリとを嵌合させ、摺動部品に固定されたラックと固定部品により支持されたピニオンギアとを係合して駆動させ、固定部品に対して摺動部品を摺動させて精密機器の位置調整を行うアリ溝摺動ステージにおいて、ピニオンギアを押さえつけてラック及びピニオンギアの与圧の程度を接触摩擦により調整する与圧調整ネジと、摺動方向と略平行な摺動部品の側面壁に設けられ、操作者が摺動部品を所望の位置にスライド操作する際に把持する駆動手段と、を備え、前記駆動手段は、摺動部品に着脱可能に取り付けられ、操作者が把持することで摺動部品を所望の位置にスライド操作する加力棒であり、固定部品に着脱可能に取り付けられ、操作者が加力棒により摺動部品を所望の位置にスライド操作する際に他の指により反力を取る反力棒を更に備えることを特徴とする。これにより、ラックアンドピニオン式のスライド操作式アリ溝摺動ステージをハンドルを省略した簡易な駆動手段により駆動させることができる。また、ラック及びピニオンギアを備えることで、ラック及びピニオンギアの与圧を調整できる与圧調整ネジを設けることができ、アリ溝摺動ステージの操作性を向上することができる。
【００１５】
上記３つの実施形態の構成により、スライド操作式アリ溝摺動ステージは、従来のラックアンドピニオン式アリ溝摺動ステージ、又は送りネジ式アリ溝摺動ステージの必須の駆動手段であったハンドルを省略することができる。また、係合された一対の駆動手段であるラック及びピニオン、或いは雌ネジ筒及び雄ネジ棒の一方をハンドルにより回転させることで他方を直進させて摺動部品をスライドさせるという複雑な機構を省略することで、簡易な機構によりアリ溝摺動ステージの摺動が可能となった。また、摺動固定ネジによる摺動部品の固定を解除し、操作者が摺動部品を指により所望の位置に瞬時にスライドできるため、操作性が向上する。さらには、ハンドルを省略したことでアリ溝摺動ステージの高さを抑えてよりコンパクトで軽量なステージとすることができる。
【００１６】
また、スライド操作式アリ溝摺動ステージは、摺動方向に略平行な、或いは摺動方向に略直交する側面側の固定部品又は摺動部品には、加力棒又は反力棒が着脱可能なタップ孔が複数箇所に設けられることが好ましい。これにより、操作者は、アリ溝摺動ステージの操作に応じて、加力棒又は反力棒の位置を摺動方向に略平行な側面側の固定部品又は摺動部品、或いは摺動方向に略直交する側面側の固定部品又は摺動部品に任意に設定することができる。また、加力棒又は反力棒の位置を複数箇所設定することもでき、アリ溝摺動ステージの摺動操作の操作性を向上させることができる。
【００１８】
また、スライド操作式アリ溝摺動ステージは、摺動方向に略平行な、或いは摺動方向に略直交する側面壁の固定部品には、反力棒が着脱可能なタップ孔が複数箇所に設けられることが好ましい。これにより、操作者は、アリ溝摺動ステージの操作に応じて反力棒の位置を摺動方向に略平行な側面側の固定部品或いは摺動方向に略直交する側面側の固定部品に任意に設定することができる。また、反力棒の位置を複数箇所設定することもでき、アリ溝摺動ステージの摺動操作の操作性を向上させることができる。
【００１９】
上記目的を達成するため、本発明に係るスライド操作式アリ溝摺動ステージは、台形状に窪んだアリ溝と、台形状に突出したアリとを嵌合させて固定部品に対して摺動部品を摺動させ、駆動手段により摺動部品をスライド操作することで、精密機器の位置調整を行うアリ溝摺動ステージにおいて、摺動方向と略平行な固定部品の側面壁に設けられ、固定部品に連結する逆三角形の突出部をネジで当接して摺動部品のアリに接触させ、レバーにより締め込むことで摺動部品の摺動を固定する摺動固定ネジと、摺動方向と略平行な摺動部品の側面壁に設けられ、操作者が摺動部品を所望の位置にスライド操作するために把持する駆動手段と、を備え、前記駆動手段は、摺動方向と略平行な摺動部品の側面壁に着脱可能に設けられ、操作者が把持することで摺動部品を所望の位置にスライド操作する滑り止めラバーであることを特徴とする。これにより、操作者は、滑り止めラバーを挟み込んで把持することによりアリ溝摺動ステージを直接スライド操作することができ、アリ溝摺動ステージの操作性が向上する。
【００２０】
また、スライド操作式アリ溝摺動ステージは、滑り止めラバーが、摺動部品の左右の側面壁に一対となるように貼り付けられることが好ましい。これにより、摺動部品を滑ることなく強固に掴むことができ、アリ溝摺動ステージの操作性が向上する。
【００２１】
さらに、スライド操作式アリ溝摺動ステージは、摺動方向と略平行な固定部品及び摺動部品の相互に隣接する側面壁には、一対の目盛シールが貼り付けられることが好ましい。これにより、従来、目盛板をピンにより固定していたが目盛シールを貼って固定することで簡易な構成とすることができる。
【発明の効果】
【００２２】
以上のように、本発明に係るスライド操作式アリ溝摺動ステージによれば、簡易な駆動手段にすることで操作性が良くコンパクトな構造が可能となるスライド操作式アリ溝摺動ステージを提供することができる。
【図面の簡単な説明】
【００２３】
【図１】本発明に係るスライド操作式アリ溝摺動ステージの１つの実施形態を示す正面図、背面図、左側面図、右側面図、平面図及び底面図である。
【図２】スライド操作式アリ溝摺動ステージの他の実施形態を示す正面図、背面図、左側面図、右側面図、平面図及び底面図である。
【図３】スライド操作式アリ溝摺動ステージの他の実施形態を示す正面図、背面図、左側面図、右側面図、平面図及び底面図である。
【図４】すべり止めラバーを用いたスライド操作式アリ溝摺動ステージの実施形態を示す正面図、背面図、左側面図、右側面図、平面図及び底面図である。
【図５】長尺型スライド操作式アリ溝摺動ステージの実施例を示す正面図、背面図、右側面図、平面図及び底面図である。
【図６】スライド操作式アリ溝摺動ステージを高さ方向（Ｚ方向）に摺動させるＺ軸摺動ステージの実施例を示す正面図、背面図、左側面図、右側面図、及び平面図である。
【図７】２台のスライド操作式アリ溝摺動ステージを交差する方向（Ｘ方向及びＹ方向）に連結させたＸＹ軸ステージの実施例を示す正面図、背面図、左側面図、右側面図、平面図及び底面図である。
【発明を実施するための形態】
【００２４】
以下に、図面を用いて本発明に係るスライド操作式アリ溝摺動ステージ１の実施形態につき、詳細に説明する。従来のアリ溝摺動ステージは、駆動手段としてラック及びピニオンギアを用いたラックアンドピニオン式アリ溝摺動ステージ、及び駆動手段として雄ネジ棒及び雌ネジ筒を用いた送りネジ式アリ溝摺動ステージが一般的であった。そして、ラックアンドピニオン式アリ溝摺動ステージでは、ピニオンギアをハンドルにより回転させることでラックを直進させて摺動部品をスライドさせ、精密機器の位置調整が行われる。また、送りネジ式アリ溝摺動ステージでは、雄ネジ棒をハンドルにより回転させることで雌ネジ筒を直進させて摺動部品をスライドさせ、精密機器の位置調整が行われる。従って、ラックアンドピニオン式アリ溝摺動ステージ及び送りネジ式アリ溝摺動ステージにおいては、ハンドルは駆動手段として必須の構成要素であった。
【００２５】
しかし、本発明に係るスライド操作式アリ溝摺動ステージ１では、ハンドルを構成要素から除外し、台形状に窪んだアリ溝４と、台形状に突出したアリ５とを嵌合させ、後述するように、加力棒、反力棒、滑り止めラバーといった駆動手段を用いて手動によるスライド操作で固定部品３に対して摺動部品２を摺動させる。つまり、従来のアリ溝摺動ステージでは、ハンドルの回転運動を固定部品３に対する摺動部品２の直進運動に変換していたが、本発明に係るスライド操作式アリ溝摺動ステージ１では、手動によるスライド操作で直接固定部品３に対する摺動部品２の直進運動を発生させる。以下、この駆動手段について具体的な実施形態、及び実施例を用いて説明する。
【００２６】
（第１実施形態）
図１に、本発明に係るスライド操作式アリ溝摺動ステージ１の第１実施形態を平面図（図１（ａ））、底面図（図１（ｂ））、左側面図（図１（ｃ））、右側面図（図１（ｄ））、正面図（図１（ｅ））及び背面図（図１（ｆ））で示す。スライド操作式アリ溝摺動ステージ１は、摺動部品２と固定部品３とから構成され、台形状に窪んだアリ溝４と、台形状に突出したアリ５とを嵌合させて固定部品３に対して摺動部品２を摺動させる。このように、アリ溝４とアリ５とを精度よく嵌合させることで、摺動部品２は固定部品３に対して直線的に滑らかに摺動する。
【００２７】
そして、摺動部品２の側面壁（図１（ｃ））に取り付けられた目盛シール１７ａ及び固定部品３の側面壁（図１（ｃ））に取り付けられた目盛シール１７ｂにより固定部品３に対する摺動部品２の移動量が読み取られる。この目盛シール１７ａ，１７ｂは、目盛が印字されたシールを摺動部品２及び固定部品３の側面壁（図１（ｃ））に貼り付けたものである。従来、摺動部品２及び固定部品３の側面壁（図１（ｃ））には、目盛が印字された目盛板をビスにより固定していたが、このように目盛シール１７ａ，１７ｂを貼って固定することで簡易な構成とすることができる。
【００２８】
図１（ａ）に示すように、摺動部品２の平面には精密機器取付け孔１８が設けられ、精密機器（図示せず）が取り付けられる。また、図１（ｂ）に示すように、固定部品３の底面には土台固定用締結孔１９ａが設けられ、スライド操作式アリ溝摺動ステージ１は土台（図示せず）に締結される。このように、精密機器が取り付けられた摺動部品２を土台に固定された固定部品３に対してスライド操作させることで、精密機器の位置調整を行うことができる。
【００２９】
図１（ｅ）,（ｆ）に摺動固定ネジ６を示す。摺動固定ネジ６は、摺動方向と略平行な摺動部品２の側面壁（図１（ｄ））に設けられる。そして、固定部品３に連結する逆三角形の突出部１０を摺動固定ネジ６の先端で当接して摺動部品２のアリ５に接触させる。そして、この摺動固定ネジ６を締め込むことで摺動部品２の摺動を固定する。なお、この突出部１０は、固定部品３との間に溝部１１が切られることで容易に撓む逆三角形となる。摺動固定ネジ６には、その構成により、例えば、つまみネジ式とレバー式などがあるが、本実施形態では図１（ｅ）,（ｆ）に示すつまみネジ式の摺動固定ネジ６が用いられる。このつまみネジ式の摺動固定ネジ６は、逆三角形の突出部１０に当接して摺動部品２のアリ５に接触させる摺動固定ネジ６の回転量を調節することで固定部品３に対する摺動部品２の摺動の程度を微調整する摺動調節ネジ７として兼用できる。これにより、操作者は、摺動部品２の摺動を固定する機能と摺動部品２の摺動の程度を調整する機能とを摺動固定ネジ６に一元的に集約することができる。例えば、摺動部品２の固定を解除した後、同じ摺動固定ネジ６について連続的に摺動部品２の摺動の程度を微調整することができる。但し、摺動方向と略平行な摺動部品２の側面壁（図１（ｄ））には、摺動調整用ネジ孔２０が設けられても良い。この摺動調整用ネジ孔２０に摺動調節ネジ７（図示せず）が取り付けられ、摺動固定ネジ６と機能を分担しても良い。
【００３０】
さらに、操作者はこの摺動固定ネジ６を、摺動部品２を所望の位置にスライド操作するために把持する駆動手段である加力棒８として兼用することができる。これにより、操作者は、摺動部品２の摺動を固定する機能と摺動部品２の摺動の程度を調整する機能と、摺動部品２を把持してスライド操作する機能を摺動固定ネジ６に一元的に集約することができる。例えば、摺動部品２の固定を解除し、摺動部品２の摺動の程度を微調整した後、同じ摺動固定ネジ６で引き続き摺動部品２を素早く移動させる、或いは、摺動部品２を細かく移動させるといったスライド操作をすることができる。なお、この加力棒８は、着脱可能であり、不要な場合には外しておくこともできる。
【００３１】
更に、固定部品３に取り付けられ、操作者が摺動固定ネジ６を加力棒８として用いて摺動部品２を所望の位置にスライド操作させる際に他の指により反力を取る反力棒９を備える。これにより、操作者は、加力棒８として用いる摺動固定ネジ６と反力棒９とを一対の操作用器具として用いることができ、例えば、力を加えて大きく移動させなければならない場合、微妙な力加減を加えて調整しなければならない場合などに効果が発揮される。また、摺動方向と略平行な固定部品３の側面壁（図１（ｄ））には、反力棒９が取り付け可能な反力棒用タップ孔１２が設けられる。このように、反力棒９の取り付け位置が選択でき、反力棒９を複数箇所に取り付けることも可能である。なお、この反力棒９は、加力棒８と同様に着脱可能であり、不要な場合には外しておくこともできる。
【００３２】
（第２実施形態）
図２に、本発明に係るスライド操作式アリ溝摺動ステージ１００の第２実施形態を平面図（図２（ａ））、底面図（図２（ｂ））、左側面図（図２（ｃ））、右側面図（図２（ｄ））、正面図（図２（ｅ））及び背面図（図２（ｆ））で示す。図２（ｅ）,（ｆ）に摺動固定ネジ１０６を示す。この摺動固定ネジ１０６は、摺動方向と略平行な固定部品１０３の側面壁（図２（ｄ））に設けられる。そして、固定部品１０３に連結する逆三角形の突出部１０を摺動固定ネジ１０６で当接して摺動部品１０２のアリ５に接触させる。この摺動固定ネジ１０６を締め込むことで摺動部品１０２の摺動を固定する。なお、この突出部１０は、固定部品１０３との間に溝部１１が切られることで容易に撓み易い逆三角形となる。摺動固定ネジ１０６には、その構成により、例えば、つまみネジ式とレバー式などがあるが、本実施形態では図２（ｅ）,（ｆ）に示すレバー式の摺動固定ネジ１０６が用いられる。また、図２（ａ）に示すように、摺動部品１０２の平面には精密機器取付け孔１８が設けられ、精密機器（図示せず）が取り付けられる。また、図２（ｂ）に示すように、固定部品１０３の底面には土台固定用締結孔１９ａが設けられる。また、固定部品１０３の側面壁（図２（ｃ））に取り付けられた目盛シール１７ａ及び摺動部品１０２の側面壁（図２（ｃ））に取り付けられた目盛シール１７ｂにより固定部品１０３に対する摺動部品１０２の移動量が読み取られる。
【００３３】
また、摺動方向と略平行な摺動部品１０２の側面壁（図２（ｃ））には、操作者が摺動部品１０２を所望の位置にスライドさせるために把持する駆動手段である加力棒１０８が取り付けられる。さらに、摺動方向に略平行な側面側（図２（ｃ））の固定部品１０３には、操作者が加力棒１０８により摺動部品１０２を所望の位置にスライド操作する際に他の指により反力を取る反力棒１０９が取り付けられる。この加力棒１０８及び反力棒１０９により、操作者は、摺動部品１０２を容易に所望の位置にスライド操作することができる。また、摺動方向と略平行な摺動部品１０２の側面壁（図２（ｄ））には、加力棒１０８が取り付け可能な加力棒用タップ孔２１が設けられ、摺動方向と略直交する摺動部品１０２の側面壁（図２（ｅ），（ｆ））には、加力棒１０８が取り付け可能な加力棒用タップ孔２１が設けられる。同様に、摺動方向と略平行な固定部品１０３の側面壁（図２（ｄ））には、反力棒１０９が取り付け可能な反力棒用タップ孔２２が設けられ、摺動方向と略直交する固定部品１０３の側面壁（図２（ｅ），（ｆ））には、反力棒１０９が取り付け可能な反力棒用タップ孔２２が設けられる。このように、加力棒１０８及び反力棒１０９は、それぞれ摺動部品１０２及び固定部品１０３の側面壁に複数箇所取り付けることができる。なお、これらの加力棒１０８は加力棒用タップ孔２１に着脱自在に取り付けられる。また、これらの反力棒１０９は、反力棒用タップ孔２２に着脱自在に取り付けられる。従って、不要な場合には、外しておくことも可能である。さらに、摺動方向と略平行な摺動部品１０２の側面壁（図２（ｄ））には、摺動調整用ネジ孔２０が設けられ、摺動調整ネジが取り付けられても良い。
【００３４】
（第３実施形態）
図３に、本発明に係るスライド操作式アリ溝摺動ステージ２００の第３実施形態を平面図（図３（ａ））、底面図（図３（ｂ））、左側面図（図３（ｃ））、右側面図（図３（ｄ））、正面図（図３（ｅ））及び背面図（図３（ｆ））で示す。本実施形態では、摺動部品２０２に固定されたラックと固定部品２０３により支持されたピニオンギアとを係合させて駆動し、固定部品２０３に対して摺動部品２０２を摺動させて精密機器の位置調整を行う。そして、ピニオンギアを押さえつけてラック及びピニオンギアの与圧の程度を接触摩擦により調整する与圧調整ネジ２３を備える。この与圧調整ネジ２３により、摺動調整ネジとは異なる機構によりスライド操作の程度が調整できる。
【００３５】
図３（ｅ）,（ｆ）に摺動固定ネジ２０６を示す。この摺動固定ネジ２０６は、摺動方向と略平行な摺動部品２０２の側面壁（図３（ｃ））に設けられる。摺動固定ネジ２０６には、その構成により、例えば、つまみネジ式とレバー式などがあるが、本実施形態では図３（ｅ）,（ｆ）に示すレバー式の摺動固定ネジ２０６が用いられる。本実施形態では、摺動固定ネジ２０６は、固定部品２０３に止められた押さえ板２７（図３（ｃ））と共に用いて固定部品２０３に対する摺動部品２０２の移動を固定する。すなわち、摺動固定ネジ２０６は、押さえ板２７に明けられた開口２８に挿入される。そして、摺動固定ネジ２０６を締め込むと押さえ板２７が摺動部品２０２に押し付けられ、摩擦力により固定部品２０３に対して摺動部品２０２をその位置に固定する。従って、本実施形態では、固定部品１０３に連結する逆三角形の突出部は設けられない。
【００３６】
図３（ａ）に示すように、摺動部品２０２の平面には精密機器取付け孔１８が設けられ、精密機器（図示せず）が取り付けられる。また、図３（ｂ）に示すように、固定部品２０３の底面には土台固定用締結孔１９ａが設けられる。また、固定部品２０３の側面壁（図３（ｄ））に取り付けられた目盛シール１７ａ及び摺動部品２０２の側面壁（図３（ｄ））に取り付けられた目盛シール１７ｂにより固定部品２０３に対する摺動部品２０２の移動量が読み取られる。  
【００３７】
摺動方向と略平行な摺動部品２０２の側面壁（図２（ｃ））には、操作者が摺動部品２０２を所望の位置にスライドさせるために把持する駆動手段である加力棒２０８が取り付けられる。さらに、摺動方向に略平行な側面側（図２（ｄ））の固定部品２０３には、操作者が加力棒２０８により摺動部品２０２を所望の位置にスライド操作する際に他の指により反力を取る反力棒２０９が取り付けられる。この加力棒２０８及び反力棒２０９により、操作者は、摺動部品２０２を容易に所望の位置にスライド操作することができる。また、摺動方向と略直交する摺動部品２０２の側面壁（図３（ｅ），（ｆ））には、加力棒２０８が取り付け可能な加力棒用タップ孔２１が設けられる。同様に、摺動方向と略直交する固定部品２０３の側面壁（図３（ｅ），（ｆ））には、反力棒２０９が取り付け可能な反力棒用タップ孔２２が設けられる。このように、加力棒２０８及び反力棒２０９は、それぞれ摺動部品２０２及び固定部品２０３の側面壁に複数箇所取り付けることができる。なお、これらの加力棒２０８は加力棒用タップ孔２１に着脱自在に取り付けられる。また、これらの反力棒２０９は、反力棒用タップ孔２２に着脱自在に取り付けられる。従って、不要な場合には、外しておくことも可能である。
【００３８】
（第４実施形態）
図４に、本発明に係るスライド操作式アリ溝摺動ステージ３００の第４実施形態を平面図（図４（ａ））、底面図（図４（ｂ））、左側面図（図４（ｃ））、右側面図（図４（ｄ））、正面図（図４（ｅ））及び背面図（図４（ｆ））で示す。本実施形態では、上述した第２実施形態と比較して駆動手段が異なるが、それ以外の構成要素は同様であるため説明を省略する。本実施形態の駆動手段は、摺動方向と略平行な摺動部品３０２の側面壁に設けられ、操作者が把持することで摺動部品３０２を所望の位置に摺動させる滑り止めラバー１４である。これにより、摺動部品３０２を滑ることなく強固に掴むことができ、アリ溝摺動ステージの操作性が向上する。また、この滑り止めラバー１４は、摺動部品３０２の側面壁の左右に一対となるように貼り付けられる。これにより、一対の滑り止めラバー１４を挟み込んで把持することで摺動部品３０２を強固に掴むことができる。なお、この滑り止めラバー１４は、上述した第１実施形態においても駆動手段として用いることが可能である。さらに、摺動方向と略平行な摺動部品３０２の側面壁（図４（ｄ））には、摺動調整用ネジ孔２０が設けられ、摺動調整ネジが取り付けられても良い。
【００３９】
（実施例１）
図５に、長尺型スライド操作式アリ溝摺動ステージ４００の実施例を平面図（図５（ａ））、底面図（図５（ｂ））、右側面図（図５（ｃ））、正面図（図５（ｄ））及び背面図（図５（ｅ））で示す。本実施例は、上述した第１実施形態のバリエーションである。すなわち、固定部品４０３が長尺であり、それにより摺動部品４０２の移動距離が長いアリ溝摺動ステージの場合である。操作者は、摺動部品４０２の摺動を固定する機能と摺動部品４０２の摺動の程度を調整する機能と、摺動部品４０２を把持してスライド操作する機能を摺動固定ネジ４０６に一元的に集約することができる。また、操作者は、加力棒として用いる摺動固定ネジ４０６と反力棒４０９とを一対の操作用器具として用い、スライド操作をすることができる。
【００４０】
（実施例２）
図６に、スライド操作式アリ溝摺動ステージ５００を高さ方向（Ｚ方向）に摺動させるＺ軸摺動ステージの実施例を平面図（図６（ａ））、左側面図（図６（ｂ））、右側面図（図６（ｃ））、正面図（図６（ｄ））及び背面図（図６（ｅ））で示す。本実施例は、第１実施形態のバリエーションであり、固定部品５０３が長尺であり、摺動部品５０２の移動距離が長いアリ溝摺動ステージの場合である。操作者は、摺動部品５０２の摺動を固定する機能と摺動部品５０２の摺動の程度を調整する機能と、摺動部品５０２を把持してスライド操作する機能を摺動固定ネジ５０６に一元的に集約することができる。また、操作者は、加力棒として用いる摺動固定ネジ５０６と反力棒５０９とを一対の操作用器具として用い、スライド操作をすることができる。
【００４１】
（実施例３）
図７に、２台のスライド操作式アリ溝摺動ステージ６００を交差する方向（Ｘ方向及びＹ方向）に連結させたＸＹ軸ステージの実施例を平面図（図７（ａ））、底面図（図７（ｂ））、左側面図（図７（ｃ））、右側面図（図７（ｄ））、正面図（図７（ｅ））及び背面図（図７（ｆ））で示す。本実施例は、上述した第１実施形態のバリエーションである。すなわち、第１実施形態のスライド操作式アリ溝摺動ステージ１を２台用意し、交差するＸ軸方向及びＹ軸方向に向けて上下方向に連結した場合である。操作者は、摺動部品６０２の摺動を固定する機能と摺動部品６０２軸の摺動の程度を調整する機能と、摺動部品６０２を把持してスライド操作する機能を摺動固定ネジ６０６に一元的に集約することができる。また、操作者は、加力棒として用いる摺動固定ネジ６０６と反力棒６０９とを一対の操作用器具として用い、スライド操作をすることができる。
【符号の説明】
【００４２】
１，１００，２００，３００，４００，５００，６００  スライド操作式アリ溝摺動ステージ、２，１０２，２０２，３０２，４０２，５０２，６０２ａ，６０２ｂ  摺動部品、３，１０３，２０３，３０３，４０３，５０３，６０３  固定部品、４  アリ溝、５  アリ、６，１０６，２０６，３０６，４０６，５０６，６０６ａ  （つまみネジ式）摺動固定ネジ、６０６ｂ  （レバー式）摺動固定ネジ、７  摺動調整ネジ、８，１０８，２０８，３０８，４０８，５０８，６０８  加力棒、９，１０９，２０９，３０９，４０９，５０９，６０９ａ，６０９ｂ  反力棒、１０  突出部、１１  溝部、１２  タップ孔、１４  滑り止めラバー、１５  つまみ部、１７ａ，１７ｂ  目盛シール、１８  精密機器取付け孔、１９ａ，１９ｂ  土台固定用締結孔、２０  摺動調整用ネジ孔、２１  加力棒用タップ孔、２２  反力棒用タップ孔、２３  与圧調整ネジ、２４  摺動調整用ネジ孔、２５  支持柱、２６  支持ベース、２７  押さえ板、２８  開口。
【要約】
【課題】簡易な駆動手段にすることで操作性が良くコンパクトな構造が可能となるスライド操作式アリ溝摺動ステージを提供する。
【解決手段】スライド操作式アリ溝摺動ステージ１は、摺動方向（Ｘ）と略平行な固定部品３の側面壁に設けられ、固定部品３に連結する逆三角形の突出部１０をネジ６で当接して摺動部品２のアリ５に接触させ、ネジ６を締め込むことで摺動部品２の摺動を固定する摺動固定ネジ６を備え、摺動固定ネジ６は、前記突出部１０に当接して摺動部品２のアリ５に接触させたネジ６の回転量を調節することで固定部品３に対する摺動部品２の摺動の程度を微調整する摺動調節ネジ、及び、操作者が摺動部品２を所望の位置にスライド操作するために把持する駆動手段、として兼用される。
【選択図】図１【図１】
0004830053.tif 000002
【図２】
0004830053.tif 000003
【図３】
0004830053.tif 000004
【図４】
0004830053.tif 000005
【図５】
0004830053.tif 000006
【図６】
0004830053.tif 000007
【図７】
0004830053.tif 000008